(57)【要約】【課題】画面に種々のメニューを表示する電子機器において、画面が回転してもメニューの操作性が低下しない電子機器、方法及びプログラムを提供すること。【解決手段】実施形態によれば、電子機器は、画像調整手段と、メニュー表示手段と、操作ボタンと、回転処理手段とを具備する。画像調整手段は、画像表示部で表示される画像を調整する。メニュー表示手段は、画像の調整項目と、調整値とからなるメニューが所定の位置に表示されるようにメニューを画像に重畳する。操作ボタンは、画像表示部に設けられ、メニューの調整項目と調整値を選択する上下左右の４方向が操作可能である。回転処理手段は、画像表示部が回転されると、メニューを回転せずに画像の向きを回転し、操作ボタンの４方向の機能を変更する。【選択図】図３Ａ
2015095085.tif 000002
【特許請求の範囲】
【請求項１】
画像表示部で表示される画像を調整する画像調整手段と、
画像の調整項目と、調整値とからなるメニューが所定の位置に表示されるようにメニューを画像に重畳するメニュー表示手段と、
前記画像表示部に設けられ、前記メニューの調整項目と調整値を選択する上下左右の４方向が操作可能な操作ボタンと、
前記画像表示部が回転されると、メニューを回転せずに画像の向きを回転し、前記操作ボタンの４方向の操作時の機能を変更する回転処理手段と、
を具備する電子機器。
【請求項２】
前記メニューは、横書きの複数の項目を上下方向に並べてなるメニューであり、
前記メニュー表示手段は、前記メニューを画面の所定の隅部に表示し、
前記回転処理手段は、前記画像表示部が回転されると、メニューの表示位置を変えずに画像の向きを変える請求項１記載の電子機器。
【請求項３】
前記操作ボタンは前記画像表示部の裏面に設けられ、
前記回転処理手段は、前記画像表示部が回転されると、操作ボタンの上下操作の機能と左右操作の機能とを交換する請求項１記載の電子機器。
【請求項４】
前記回転処理手段は、前記画像表示部が回転されると、メニューのアスペクト比を回転後の画像のアスペクト比に応じて調整する請求項１記載の電子機器。
【請求項５】
前記回転処理手段は、前記画像表示部が回転されると、メニューの解像度を回転後の画像のアスペクト比に応じて調整する請求項１記載の電子機器。
【請求項６】
前記回転処理手段へ前記画像表示部の回転を知らせる回転方向信号を入力する入力部をさらに具備する請求項１記載の電子機器。
【請求項７】
前記メニューは前記画像表示部の回転位置を含み、前記回転方向信号は前記メニューから生成される請求項６記載の電子機器。
【請求項８】
画像表示部で表示される画像を調整する画像調整手段と、前記画像表示部に設けられ、前記メニューの調整項目と調整値を選択する上下左右の４方向が操作可能な操作ボタンとを具備する電子機器により実行される方法であって、
画像の調整項目と、調整値とからなるメニューが所定の位置に表示されるようにメニューを画像に重畳することと、
前記画像表示部が回転されると、メニューを回転せずに画像の向きを回転し、画像表示部に設けられ、メニューの調整項目と調整値を選択する上下左右の４方向が操作可能な操作ボタンの４方向の機能を変更すること
を具備する方法。
【請求項９】
画像表示部で表示される画像を調整する画像調整手段と、前記画像表示部に設けられ、前記メニューの調整項目と調整値を選択する上下左右の４方向が操作可能な操作ボタンとを具備する電子機器のコンピュータにより実行されるプログラムであって、
画像の調整項目と、調整値とからなるメニューが所定の位置に表示されるようにメニューを画像に重畳し、
前記画像表示部が回転されると、メニューを回転せずに画像の向きを回転し、前記操作ボタンの４方向の機能を変更すること
を具備するプログラム。
【発明の詳細な説明】
【技術分野】
【０００１】
本発明の実施形態は画像表示装置の画像調整に関する。
【背景技術】
【０００２】
従来の画像表示装置、例えばモニタ装置は、画面にＯＳＤ（On Screen Display）により画像の調整項目と調整の度合い（調整値）を表示する設定メニューを表示し、本体に設けられているボタンを操作することにより、調整項目と調整値を設定している。
【０００３】
近年、種々のアスペクト比の画像が扱われているので、モニタ装置は画面が９０度回転可能となっている。ＯＳＤによる設定メニューは画像に対する表示位置が決まっているので、画面を９０度回転した場合、画像とともに設定メニューも回転してしまう。そのため、メニューの文字が９０度回転するとともに、表示位置も変化してしまい、使い難いメニューになってしまう。また、画面が９０度回転した場合、本体ボタンの上下左右の向きと画像内のメニュー上の上下左右方向とがずれるので、本体ボタンによりメニューを選択する操作がし難い。
【先行技術文献】
【特許文献】
【０００４】
【特許文献１】特開2001-256768号公報
【発明の概要】
【発明が解決しようとする課題】
【０００５】
従来の電子機器は画面を回転した場合、画像調整のための設定メニューも画像とともに回転し、メニューの操作性が低下するという課題があった。
【０００６】
本発明の目的は画面に種々のメニューを表示する電子機器において、画面が回転してもメニューの操作性が低下しない電子機器、方法及びプログラムを提供することである。
【課題を解決するための手段】
【０００７】
実施形態によれば、電子機器は、画像調整手段と、メニュー表示手段と、操作ボタンと、回転処理手段とを具備する。画像調整手段は、画像表示部で表示される画像を調整する。メニュー表示手段は、画像の調整項目と、調整値とからなるメニューが所定の位置に表示されるようにメニューを画像に重畳する。操作ボタンは、画像表示部に設けられ、メニューの調整項目と調整値を選択する上下左右の４方向が操作可能である。回転処理手段は、画像表示部が回転されると、メニューを回転せずに画像の向きを回転し、操作ボタンの４方向の操作時の機能を変更する。
【図面の簡単な説明】
【０００８】
【図１】図１は実施形態のシステム構成の一例を示すブロック図である。
【図２】図２は実施形態のモニタ装置のシステム構成の一例を示すブロック図である。
【図３Ａ】図３Ａは実施形態のモニタ装置のメニュー表示の回転の一例を示す図である。
【図３Ｂ】図３Ｂは実施形態のモニタ装置のメニュー表示の回転の一例を示す図である。
【図４Ａ】図４Ａは実施形態のモニタ装置のメニュー表示の回転の他の例を示す図である。
【図４Ｂ】図４Ｂは実施形態のモニタ装置のメニュー表示の回転の他の例を示す図である。
【図４Ｃ】図４Ｃは実施形態のモニタ装置のメニュー表示の回転の他の例を示す図である。
【図５Ａ】図５Ａは実施形態のモニタ装置のメニュー表示の回転のさらに他の例を示す図である。
【図５Ｂ】図５Ｂは実施形態のモニタ装置のメニュー表示の回転のさらに他の例を示す図である。
【図６】図６は実施形態の画面回転の際の操作ボタンの回転の様子を示す図である。
【図７】図７は実施形態の画像調整の処理の流れの一例を示すフローチャートである。
【発明を実施するための形態】
【０００９】
以下、第１の実施形態について図面を参照して説明する。図１は、第１の実施形態のシステム構成を示す図である。図１（ａ）に示すように、システムは、ＬＣＤパネル等からなるモニタ装置１０と、映像ソース機器１４からなる。映像ソース機器１４は、モニタ装置１０に映像信号を供給する装置であり、ＴＶチューナ、ＤＶＤ（登録商標）／ＢＤ（登録商標）プレーヤ、セットトップボックス等を含む。映像ソース機器１４とモニタ装置１０とは、ＨＤＭＩ（登録商標）あるいはディスプレイポート等の映像表示規格に従ったケーブル１６によって接続される。ＨＤＭＩの規格は、例えばＨＤＭＩ２．０とＨＤＭＩ１．４を含む。なお、モニタ装置１０と映像ソース機器１４が必ずしも物理的に分離されている必要はなく、実施形態は、両者が一体となったテレビジョン受像機であってもよい。なお、モニタ装置１０が表示するコンテンツは動画に限らず、静止画（写真）でもよい。その場合は、映像ソース機器１４は、写真を記憶するメモリカード、ＵＳＢメモリ等でもよい。
【００１０】
図１（ｂ）に示すように、モニタ装置１０の背面の右側端部の下方に電源ボタン２０、操作ボタン１８が設けられる。これらのボタンは、正面側に位置するユーザが右手の人差し指、中指、薬指等を背面に伸ばして操作可能となっている。操作ボタン１８は、二重の同心円ボタンからなり、中心ボタン１８ａは決定ボタン、外側の円環ボタン１８ｂは上下左右の４方向が操作可能なボタンである。外側のボタン１８ｂは、４方向が操作可能であれば良く、円環形状に限定されるものではなく、十字形状でも良いし、上下左右の４つのボタンでもよい。円環形状の場合、上下と左右の別が指先で判りやすいように、縦長の楕円環形状としてもよい。決定ボタン１８ａは、モニタ装置１０が画像調整する際の調整項目、調整値の設定メニュー１２を表示させるものである。
【００１１】
設定メニュー１２は、後述するが、例えば、上下方向に配列された種々の横書きの項目からなり、上下左右ボタン１８ｂの上下操作により項目が選択可能である。選択された項目の調整値あるいは選択肢は上下左右ボタン１８ｂの左右操作により設定可能である。
【００１２】
なお、モニタ装置１０の前面の枠部に設置空間があれば、電源ボタン２０、操作ボタン１８は背面ではなく前面に設けてもよい。
【００１３】
図２は、モニタ装置１０のシステム構成を示すブロック図である。映像ソース機器１４から映像信号が入力される映像入力部（例えば、ＨＤＭＩ入力部）２２が映像処理部２４に接続される。映像処理部２４は映像信号を種々の項目（例えば、バックライト、色温度、コントラスト、黒レベル、ガンマ特性、色合い、色の濃さ、シャープネス等）に関して調整するものであり、調整する項目と、その設定値はシステムコントローラ２８から与えられる。システムコントローラ２８はＣＰＵを含む。映像処理部２４の出力はＬＣＤパネル２６で表示される。システムコントローラ２８は、調整項目の設定値を記憶するフラッシュメモリ３０と、操作部３２、ＯＳＤ信号生成部３８、バックライト４０等に接続される。
【００１４】
システムコントローラ２８は、フラッシュメモリ３０から読み出した設定値を映像処理部２４に設定する。フラッシュメモリ３０は、システムコントローラ２８が含むＣＰＵの動作を制御するためのソフトウェア（ファームウェア）も記憶する。操作部３２は、上述したモニタ装置１０の背面に設けられた操作ボタン１８、電源ボタン２０を含む。ＯＳＤ信号生成部３８は、ＬＣＤパネル２６にＯＳＤで表示される映像調整メニューを作成する。ＯＳＤ信号生成部３８の出力は映像処理部２４に供給され、映像に映像調整メニューを重畳する。システムコントローラ２８はバックライト４０の輝度と色温度も制御する。
【００１５】
次に、実施形態の映像調整について説明する。  
モニタ装置１０の操作ボタンのうちの決定ボタン１８ａが押されると、図３Ａ、図３Ｂに示すような映像調整メニューがＯＳＤにより映像に重畳して表示される。この状態で決定ボタン１８ａが再度押されると、メニュー表示はオフする。
【００１６】
映像調整メニューは、３階層のメニューであり、初期に表示される第１階層メニューは入力設定、映像設定、本体機器設定の３つの項目とそのアイコンからなる。３つの横書きの項目は縦方向（上下方向）に並んで表示される。
【００１７】
映像調整メニューの表示位置は画面左下と設定されているが、ユーザの設定により変更可能である。メニューは同じ位置の映像を完全に置き換えて（映像を非表示として）表示してもよいが、映像とメニューをある割合で重畳してメニューの下に映像が見えるようにしても良い。
【００１８】
上下ボタンの操作により、カーソルが移動され、項目が選択されると、その項目のサブ項目と、調整値とからなる第２階層メニューが第１階層メニューの右側に表示される。図３Ａ、図３Ｂは第１階層メニューで映像設定が選択された場合を示す。すなわち、映像設定のサブ項目であるバックライト、色温度、ＲＧＢ  Ｄｒｉｖｅ、ＬＥＤエリアコントロールからなる第２階層メニューが第１階層メニューに並べて表示される。各項目の設定値は、バックライトが４０ｃｄ／ｍ２、色温度が１５，０００Ｋ、ＲＧＢ  ＤｒｉｖｅがＲ：５０、Ｇ：５０、Ｂ：５０、ＬＥＤエリアコントロールがオフである。
【００１９】
上下ボタンの操作により、サブ項目、例えばバックライトが選択されると、そのサブ項目の設定値の調整のためのスライダーが表示され、左右ボタンの操作により値が調整される。バックライトは４０ｃｄ／ｍ２から３５０ｃｄ／ｍ２の範囲で１刻みに設定される。色温度は、４，０００Ｋから１５，０００Ｋの範囲で１００Ｋ刻みに設定される。ＲＧＢ  Ｄｒｉｖｅは、Ｒ、Ｇ、Ｂ毎に０から１００％の範囲に設定される。なお、ＲＧＢ  Ｄｒｉｖｅは、Ｒ、Ｇ、Ｂの合計が３０以下には設定不可能である。また、色温度とＲＧＢ  Ｄｒｉｖｅは、排他である。
【００２０】
このように項目の選択は上下キーを押してカーソルを移動することにより行われる。カーソルが最上段の項目まで到達しさらに上キーが押されると、カーソルは最下段の項目に移る。同様に、カーソルが最下段の項目まで到達しさらに下キーが押されると、カーソルは最上段の項目に移る。このように上下キーはカーソルをループ的に移動させる。
【００２１】
項目の選択肢（設定値）の選択は、左右キーを押すことにより行われる。左右キーも上下キーと同様にループ的にカーソルを移動させてもよいが、設定値の場合は、ループ的に移動させない方が好ましい場合もある。ループ的に移動させる／させないは任意である。
【００２２】
図３Ａはモニタ装置１０を横長に設置した場合のメニュー表示を示し、図３Ｂは図３Ａの状態から９０度時計方向にモニタ装置１０を回転し、縦長に設置した場合のメニュー表示を示す。映像処理部２４は通常は横長の映像を横長のモニタ装置に適合するように映像処理してＬＣＤパネル２８に供給する。図３Ｂに示すように、モニタ装置１０の設置方向が縦長に回転されると、映像処理部２４は横長の映像を縦長のモニタ装置１０に適合するように映像を回転処理してＬＣＤパネル２８に供給する。映像の回転処理には、いくつかの処理がある。例えば、横長の画像を解像度を落として縦長の画面に表示する方法（上下に黒帯が残る）、解像度は変えずに、左右の両端部分をカットして中央の縦長部分を表示する方法がある。図３Ｂは、後者の例である。映像処理部２４は、モニタ装置１０の設置方向が縦長に回転されても、メニューは回転前と同じ位置、すなわち画面の左下にしかし回転処理は施さずに表示されるように処理する。このため、画面が回転しても、メニューは画像の回転とは独立して、画面内の同じ位置に常にテキストが横書きで表示される。
【００２３】
モニタ装置１０の回転は、加速度センサあるいは構造的な接触スイッチにより検出することができるが、本実施形態では、ユーザが画面を回転した時に何らかの回転位置信号を操作部３２から入力することにしている。
【００２４】
なお、図３Ａ、図３Ｂは下位の階層目メニューを上位階層メニューの右側に並べて表示する例を示すが、下位階層メニューが表示されると、上位階層メニューの表示をオフして、上位階層メニューの代わりに下位階層メニューを表示してもよい。メニューの表示態様は表示スペース等の事情により種々変形可能である。
【００２５】
図３Ａ、図３Ｂの例では、メニュー表示領域のアスペクト比は回転前後で不変としたが、下位階層のメニューを上位階層のメニューの右側に順次並べて表示する場合等、縦長の画面の横幅に対してメニューの横幅が広くなり見ずらい場合は、画面の回転に伴い、図４Ａ、図４Ｂに示すように、メニュー表示領域のアスペクト比を変えて、メニュー表示領域も縦長に変更することも可能である。あるいは、単にスライダーの倍率を縮小して、スライダーの横幅を短くしても良い。また、メニューのアスペクト比を変えるとレイアウトが変化してしまうので、図４Ａ、図４Ｃに示すように、アスペクト比は変えずに、文字サイズあるいは解像度を変えて、メニュー表示領域を縮小して、縦長に対応しても良い。
【００２６】
なお、第１階層メニューで入力設定が選択された場合は、図５Ａ、図５Ｂに示すように次のようなサブ項目からなる第２階層メニューが表示される。  
入力設定のサブ項目は、入力、映像信号、音声信号、映像モード、設置方向、ＩＰアドレスである。サブ項目の選択肢は下記である。  
入力の選択肢は、ＨＤＭＩ−１／ＨＤＭＩ−２あるいはＨＤＭＩ−Ｄｕａｌ／Ｄｉｓｐｌａｙｐｏｒｔ（ＳＳＴ／ＭＳＴ）である。映像信号の選択肢は、信号無し、非サポート、ＲＧＢ／ＹＰｂＰｒ（４：４：４／４：２：２／４：２：０）****Ｈｘ****（**Ｈｚ）、インターレース／プログレッシブである。音声信号の選択肢は、信号無し、非サポート、ＨＤＭＩ−ｘ、Ｌ−ＰＣＭ  ２ｃｈ（**ＫＨｚ）である。映像モードの選択肢は、ユーザ、Ａｄｏｂｅ  ＲＧＢ、ｓＲＧＢ、ＢＴ．７０９、ＥＢＵ／ＳＭＰＴＥ−Ｃ／ＤＣＩ／ＤＩＣＯＭ−ｓｉｍ、（メモリ／キャリブレーション／キャリブレーション(メモリ)である。設置方向の選択肢は、ランドスケープ（横長）、ポートレイト（縦長）である。ＩＰアドレスの選択肢は、非接続、アドレス値である。これらの選択肢は、左右ボタンの操作により順次選択され、決定ボタン１９ａの操作により決定する。この設定方向の選択により、モニタ装置１０は設置方向を認識し、映像処理部２４は画像の回転処理を行うことができる。
【００２７】
図５Ａ、図５Ｂは、入力としてＨＤＭＩ−１が、映像信号としてＲＧＢ（４：４：４）、3840Ｈｘ2160Ｖ（24Ｈｚ）、プログレッシブが、音声信号としてＬ−ＰＣＭ  ２ｃｈ（48ＫＨｚ）が、映像モードとしてＡｄｏｂｅ  ＲＧＢが、設置方向としてランドスケープ（横長）が、ＩＰアドレスとして１９２．１６８．０．３が設定された例を示す。
【００２８】
図示しないが、第１階層メニューで本体機器設定が選択された場合は、映像入力、映像モード、調整モード、色温度、バックライト、ヘッドホーンの音量、ソフトウェア（ファームウェア）アップデート、初期化、入力中の映像信号のフォーマット表示、本機のＩＰアドレスの表示、キャリブレーション実施後からの経過時間の表示、ソフトウェアのバージョン表示等の項目を含むメニューが表示される。
【００２９】
各項目の選択肢は例えば、以下の通りである。映像入力は、ＨＤＭＩ１／ＨＤＭＩ２／ディスプレイポートのいずれかに設定される。映像モードは、Ａｄｏｂｅ  ＲＧＢ／ｓＲＧＢ／ＢＴ．７０９／ＥＢＵ／ＳＭＰＴＥ−Ｃ／ＤＩＣＯＭ−ｓｉｍ／テレビ／ムービーのいずれかに設定される。調整モードは、プリセット／カスタムのいずれかに設定される。色温度は、４０００Ｋから１５０００Ｋの範囲で１００Ｋ刻みに設定される。バックライトは、４０ｃｄ／ｍ２から３５０ｃｄ／ｍ２の範囲で１刻みに設定される（手動設定のみ）。ヘッドホーンの音量は０から１００の範囲で５刻みに設定される（ヘッドホーン端子挿入時に設定可能）。ソフトウェア（ファームウェア）アップデートと初期化は、「実行する」、「実行しない」のいずれかに設定される。映像信号のフォーマット、ＩＰアドレス、キャリブレーション実施後からの経過時間、ソフトウェアのバージョンは自動的に表示される。なお、キャリブレーションとは、カラーキャリブレーションのことであり、モニタ装置１０のＵＳＢ端子に接続したセンサをＬＣＤパネル２６に密着させて輝度や色を測定し、自動で調整を行うものである。
【００３０】
図６はモニタ装置１０を正面から見た図である。横長の場合、図６（ａ）に示すように、左下にメニュー５４が表示され、背面の右下（正面から見て）に操作ボタンが位置する。操作ボタンの４つの領域５２ａ、５２ｂ、５２ｃ、５２ｄがそれぞれ上ボタン、右ボタン、下ボタン、左ボタンに対応する。上ボタン５２ａ、右ボタン５２ｂ、下ボタン５２ｃ、左ボタン５２ｄの機能は、「１つ上の項目を選択」、「値増加あるいは次（１つ右）の選択肢を選択」、「１つ下の項目を選択」、「値減少あるいは前（１つ左）の選択肢を選択」である。
【００３１】
画面が９０度時計方向に９０度回転され、縦長になると、図６(ｂ)に示すように、操作ボタンの位置が背面の左下（正面から見て）に変化する。この際、ボタンの各領域の定義（上下左右ボタンに対応）が図６（ａ）の場合と同じであると、ユーザが操作した操作ボタンの上下左右方向と、メニュー上でカーソルが移動する方向がずれてしまい、操作感が悪い。そのため、本実施形態では、操作ボタンが９０度回転したので、その４つの領域５２ａ、５２ｂ、５２ｃ、５２ｄの定義も９０度回転させる。すなわち、領域５２ａ、５２ｂ、５２ｃ、５２ｄがそれぞれ右ボタン、下ボタン、左ボタン、上ボタンに変化する。画面の向きによる操作ボタンの上下左右の４領域の定義の変化を表１に示す。これにより、上、右、下、左側（画面の正面から見て）に位置するボタン領域がそれぞれ上ボタン、右ボタン、下ボタン、左ボタンの機能を果たすので、画面が回転しても、メニューの選択操作を正しく行なうことができる。
【表１】
2015095085.tif 000003
【００３２】
図７は、実施形態の画像調整の処理の流れを示すフローチャートである。  
ブロックＢ６２で、決定ボタン１８ａの操作が検出されると、ブロックＢ６４でメニューが表示される。ブロックＢ６６で上下左右ボタンの操作を検出すると、ブロックＢ６８で画面の設定方向が縦長か否か判定される。縦長の場合は、ブロックＢ７０で映像処理部２４の回転処理をオン（図３Ｂ、図４Ｂの表示を実現）して、ブロックＢ７２で上下左右ボタンの定義を表１に従って変更する。その後、ブロックＢ７４で上下左右ボタンからのキー信号に応じて項目の選択、あるいは調整値の設定が行なわれる。ブロックＢ６８で横長と判定された場合は、ブロックＢ７０、Ｂ７２がスキップされる。
【００３３】
ブロックＢ７６で決定ボタン１８ａの操作が検出されると、ブロックＢ７８でメニュー表示がオフされ、処理は終了する。ブロックＢ７６で決定ボタン１８ａの操作が検出されない場合は、ブロックＢ６４に戻り、メニュー表示が継続される。
【００３４】
本実施形態によれば、画像調整項目の設定のためのメニューを画像に重畳して表示する電子機器において画面を９０度回転した場合、画像は９０度回転するが、メニューは回転せずに、回転前と同じ位置に表示する。そして、機器に設けられている上下左右の４方向を操作可能なボタンの各方向の操作時の機能を回転に応じて変更する。これにより、画面が回転しても、メニュー上の上下左右とボタンの左右上下の対応関係が変わらないので、回転後もメニューの操作性が低下することがない。
【００３５】
なお、本実施形態の処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００３６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００３７】
２４…映像処理部、２６…ＬＤＣパネル、２８…システムコントローラ、３０…フラッシュメモリ、３２…操作部、３８…ＯＳＤ信号生成部、４０…バックライト。
【図１】
2015095085.tif 000004
【図２】
2015095085.tif 000005
【図３Ａ】
2015095085.tif 000006
【図３Ｂ】
2015095085.tif 000007
【図４Ａ】
2015095085.tif 000008
【図４Ｂ】
2015095085.tif 000009
【図４Ｃ】
2015095085.tif 000010
【図５Ａ】
2015095085.tif 000011
【図５Ｂ】
2015095085.tif 000012
【図６】
2015095085.tif 000013
【図７】
2015095085.tif 000014